(57)【特許請求の範囲】
【請求項１】
原子炉内に複数配設される局所領域出力モニタに対応して設けられる測定個所の複数のストリングを一つずつ順次指定選択してスキャンを行う移動型炉心内計装スキャン部と、予めスキャンする対象ストリングを指定するストリング指定部と、前記移動型炉心内計装スキャン部のスキャンによって得られた対象ストリングの移動型炉心内計装データを出力する移動型炉心内計装データ出力部とを備えた移動型炉心内計装スキャン装置において、
前記移動型炉心内計装スキャン部は、
オペレータにスキャン対象のストリングを指定させるマシン指定処理を行うマシン指定処理手段と、
オペレータからの要求に従ってスキャンを中断する中断処理を行う中断処理手段と、
オペレータの要求に従って自動スキャンまたは手動スキャンを選択可能とし、前記自動スキャンが選択された場合には前記マシン指定処理を禁止する一方、前記手動スキャンが選択された場合には前記中断処理を禁止する自動／手動切替処理手段と、を備えることを特徴とする移動型炉心内計装スキャン装置。
【請求項２】
前記移動型炉心内計装スキャン部は、現場に配置されて移動型炉心内計装検出器を操作する移動型炉心内計装盤から移動型炉心内計装盤の状態情報を取り込み表示装置へ表示する移動型炉心内計装盤状態表示処理手段を備えることを特徴とする請求項１記載の原子力発電プラントの移動型炉心内計装スキャン装置。
【請求項３】
前記移動型炉心内計装スキャン部は、プラントの状態が予め定めるスキャン開始条件を充足しない場合に、オペレータへ問い合わせて、オペレータの判断に従ってスキャンの開始の実行、または、スキャンの開始の断念を行う開始条件問合せ処理手段を備えることを特徴とする請求項１記載の移動型炉心内計装スキャン装置。
【請求項４】
前記移動型炉心内計装スキャン部は、移動型炉心内計装データの内でログ毎に印字の要、不要を個別選択して設定可能として、印字の必要の移動型炉心内計装データのログのみ印字する自動ログ印字選択処理手段を備えることを特徴とする請求項１記載の移動型炉心内計装スキャン装置。
【請求項５】
前記移動型炉心内計装スキャン部は、移動型炉心内計装スキャン状態を履歴データとして保存し、必要時に印字する移動型炉心内計装スキャン履歴印字処理手段を備えることを特徴とする請求項１記載の移動型炉心内計装スキャン装置。
【請求項６】
前記ストリング指定部は、スキャン可能な対象ストリングの全てを指定する全ストリング選択処理手段を備えることを特徴とする請求項１記載の移動型炉心内計装スキャン装置。
【請求項７】
前記移動型炉心内計装検出器の駆動状態と計算機の状態と移動型炉心内計装盤の状態等の必要な監視情報を表示装置の監視画面へ表示する監視画面表示部を備えることを特徴とする請求項１記載の移動型炉心内計装スキャン装置。
【請求項８】
前記移動型炉心内計装データ出力部は、印字可能な対象ストリングの全てを選択指定可能とする全ストリング選択処理手段を備えることを特徴とする請求項１記載の移動型炉心内計装スキャン装置。
【請求項９】
前記移動型炉心内計装スキャン部は、スキャン中に前記ストリング指定部を呼び出して対話画面上でスキャンする任意の対象ストリングを指定可能とするストリング指定部呼出処理手段と、スキャン中に監視画面表示部を呼び出して対話画面上に監視情報を表示する監視画面表示部呼出処理手段とを備えることを特徴とする請求項１記載の移動型炉心内計装スキャン装置。
【発明の詳細な説明】
【０００１】
【発明の属する技術分野】
本発明は、ＢＷＲ（沸騰水）型原子力発電プラントの原子炉内核計装システムの一つである移動型炉心内計装（Travese  Incore  Probe：以下ＴＩＰと称す）において、複数の測定個所のストリングに対してスキャン（走査）によって得られたＴＩＰデータ（炉心内中性子束データ及びスキャン結果データ）をプロセス計算機へ取り込むための移動型炉心内計装スキャン装置に関する。
【０００２】
【従来の技術】
原子力発電プラントでは、燃料の健全性維持、効率的な燃焼を行うために、プロセス計算機炉心性能計算機能を用いて、原子炉内の出力分布を計算、監視している。このために圧力容器内に多数のＬＰＲＭ（Local Power Range Monitor：局所領域出力モニタ）検出器を設置して中央制御室の表示装置へ表示して原子炉出力を監視している。
【０００３】
上記ＬＰＲＭ検出器は、炉心内に常時固定配置されているため強い放射線に照射され、その検出感度が低下する。そこで、ＬＰＲＭ検出器と同じ中性子検出器であるＴＩＰ検出器を通常時炉心外に置き定期的に炉心内に移動させＬＰＲＭ検出器の感度を校正するようにしている。
【０００４】
図１０は、この種の概念図を示し、原子炉１の炉心内１０に約２０〜５０箇所に配置されたストリング（ＬＰＲＭ検出器及びＴＩＰ検出器の測定個所の位置）１１には、軸方向に沿って各４個のＬＰＲＭ検出器１２が上下方向に固定配置されている。この４個のＬＰＲＭ検出器１２に隣接してＴＩＰ検出器２を挿入する案内管１３が配置されており、この案内管１３に沿ってＴＩＰ検出器２を移動させて中性子量の出力分布を測定することによってＬＰＲＭ検出器１２の感度校正を行っている。
【０００５】
原子炉１内では、前述した多数のストリング１１を複数ブロックに分割し、それぞれのブロックに対して１台ずつＴＩＰ検出器２を設けるようにしている。各ＴＩＰ検出器２は、対応して設けられる索引機構と駆動機構とによって各ブロック内のストリング１１を順次選択的にスキャンするようにして移動可能のようになっている。
【０００６】
ＴＩＰによって得られたＴＩＰ計測結果であるＴＩＰデータは プロセス計算機へ入力されるようになっており、前述した各ストリング１１をスキャンする装置をＴＩＰスキャン装置と呼び、従来からプロセス計算機内に実装されている。
【０００７】
従来のＴＩＰスキャン装置の構成を図１１に従って説明する。
【０００８】
ＴＩＰスキャン装置は、前述したように原子炉１内に多数設けられたストリング１１に対し、オペレータがＴＩＰ検出器２を１本ずつ指定しスキャンを行う手動スキャン部１００Ｂと、予め定められたスキャン対象のストリングを自動的にスキャンする自動スキャン部１００Ａと、自動スキャンする際の対象ストリングを指定するストリング指定部１０２と、スキャンが終了した最新のＴＩＰデータを印字するＴＩＰデータ印字部１０３と、ＴＩＰデータの入力やＴＩＰ盤４の制御指令を出力するプロセス入出力装置１０４等からなっている。
【０００９】
手動スキャン部１００Ｂは、スキャンに先立ちプラント状態を判定し、ＴＩＰ盤４へスキャン開始指令信号を出力する開始処理手段１０５ａと、ＴＩＰデータの入力が正しく終了した際に処理を終了する終了処理手段１０６ａと、ＴＩＰによる計測を中止し、その入力データを破棄する中止処理手段１０７ａと、スキャンが完了したストリングのデータをプリンタ７によって印字する印字処理手段１０８ａと、スキャンするＴＩＰ検出器２を指定するマシン指定処理手段１０９とからなっている。
【００１０】
一方、自動スキャン部１００Ａは、手動スキャン部１００Ｂとほぼ同様に、スキャンに先立ちプラント状態を判定し、ＴＩＰ盤４にスキャン開始指令信号を出力する開始処理手段１０５と、自動スキャンを一時中断する中断処理手段１１０と、スキャン対象のストリングのＴＩＰデータの入力が正しく終了した際に出力処理を行う終了処理手段１０６と、ＴＩＰによる計測を中止し、その入力データを破棄する中止処理手段１０７とからなっている。
【００１１】
また、ストリング指定部１０２は自動スキャン時にスキャンする対象のストリング１１を指定するストリング指定処理手段１１１を有している。ＴＩＰデータ印字部１０３は印字する対象のストリング１１を指定するストリング指定処理手段１１２を有している。
【００１２】
なお、ＴＩＰ駆動機構３は、ＴＩＰ検出器２を駆動可能なように構成されており、また、ＴＩＰスキャン装置には、プリンタ７、対話装置６と炉心性能計算部５が接続されている。
【００１３】
次に、従来のＴＩＰスキャン装置の作用を図１１に従って説明する。
【００１４】
先ず、ＴＩＰによる計測を手動スキャンにより行う場合、スキャンしたいストリング１１が対話装置６からの要求によって、マシン指定処理手段１０９のマシン指定処理によって指定される。次に、オペレータによって対話装置６を介して手動スキャン部１００Ｂの開始処理手段１０５ａへ開始処理の要求が行われると、開始処理手段１０５ａによりプラント状態の判定が行われる。この判定でＴＩＰによる計測条件が充足すれば、プロセス入出力装置１０４を介してＴＩＰ盤４へ開始指令信号が出力される。
【００１５】
続いて、ＴＩＰ盤４からの制御に基づいてＴＩＰ駆動機構３によってＴＩＰ検出器２が原子炉１内に挿入されＴＩＰ検出器２が指定されたストリング１１へ移動され、ＴＩＰスキャン装置へＴＩＰ検出器２の位置データ及び中性子束データが入力される。指定されたストリング１１のスキャンが完了すると、入力された中性子束データが印字処理手段１０８ａの印字処理によりＴＩＰによる計測結果データとしてプリンタ７に出力される。
【００１６】
前述したＴＩＰによる計測結果データがオペレータによって確認された後に、次のストリング１１がマシン指定処理手段１０９により指定され、同様にスキャンが行われる。スキャン中のＴＩＰ検出器２やＴＩＰ盤４の状態はオペレータが監視できるようにＴＩＰスキャン装置に入力され、プリンタ７に印刷される。
【００１７】
全てのストリング１１のスキャンが正常に完了すると、得られたＴＩＰデータを炉心性能計算部５に設定するため、オペレータによって終了処理手段１０６ａへ要求が行われ、中性子束データが炉心性能計算部５へ設定される。
【００１８】
仮に、スキャン中に機器の障害等でデータの入力が出来なくなった場合、オペレータによって中止処理手段１０７ａへ中止要求が行われ、ＴＩＰによる計測の中止とスキャンして得られたデータの破棄が行われる。
【００１９】
一方、ＴＩＰによる計測を自動スキャンにより行う場合、予め、ストリング指定部１０２のストリング指定処理手段１１１によってストリング１１が指定される。次に、オペレータによって自動スキャン部１００Ａの開始処理手段１０５へ開始処理の要求がされ、開始処理手段１０５によって、プラント状態の判定が行われ、この判定で、ＴＩＰによる計測条件を充足すると、プロセス入出力装置１０４を介してＴＩＰ盤４へ開始指令信号が出力される。
【００２０】
その後、ＴＩＰ盤４からの制御によって指示されたストリング１１が自動的に順次選択され、中性子束の計測が行われ、ＴＩＰスキャン装置へＴＩＰによる計測結果データが入力される。
【００２１】
次に、オペレータを介して、印字処理手段１０８によりプリンタ７へ自動印字されるＴＩＰ検出器２やＴＩＰ盤４の状態、スキャンした中性子束等のＴＩＰによる計測結果データが確認される。自動スキャン中にスキャンを一時中断したい場合には、オペレータによって中断処理が中断処理手段１１０へ要求され、計測の中断が行われる。スキャン対象の全てのストリング１１のスキャンが正常に完了した場合、オペレータにより終了処理手段１０６へ終了処理の要求がされ、炉心性能計算部５へ得られた中性子束データの設定が行われる。
【００２２】
仮に、自動スキャン中に機器の障害等でデータの入力が出来なくなった場合、オペレータによって中止処理手段１０７へ中止処理要求が行われ、ＴＩＰ計測の中止とスキャンしたＴＩＰデータの破棄が行われる。また、自動スキャン中において一部のストリング１１のみスキャンを行う場合には、ストリング指定部１０２により対象ストリングの指定が行われる。
【００２３】
【発明が解決しようとする課題】
ところで、従来の図１１に示す如くのＴＩＰスキャン装置には、以下の問題があった。
【００２４】
第１に、従来のＴＩＰスキャン装置は、自動スキャン部１００Ａと手動スキャン部１００Ｂが別々に設けられており、それぞれが同様な機能を有している。そのため、自動スキャン部１００Ａによって操作中に誤って手動スキャン部１００Ｂの特定処理の要求がされたり、逆に手動スキャン部１００Ｂによって操作中に誤って自動スキャン部１００Ａの特定の処理の要求がされたりすることがあった、これによりオペレータの操作に混乱を招き、円滑な操作の妨げとなることがあった。
【００２５】
これを解決するためには、自動スキャン部１００Ａと手動スキャン部１００Ｂを単に一つにまとめて自動スキャンと手動スキャンを切替ることが考えられるが、その場合、自動スキャン時に不要な「マシン指定処理手段１０９」や手動スキャン時に不要な「中断処理手段１１０」が、そのまま残ってしまい、オペレータの混乱を解消できないという課題があった。
【００２６】
第２に、自動スキャンと手動スキャンの選択にあたってはＴＩＰ盤４側の動作モードの指定操作と整合性をとる必要がある。そのため、ＴＩＰスキャン装置を操作するオペレータとＴＩＰ盤４側で操作するオペレータとは、連絡を取り合い、協調して操作を行うことが求められるが、連絡が不十分な場合、両者側間に不整合が発生するという課題があった。
【００２７】
第３に、スキャンを開始する際、原則としてプラント状態が予め定めるスキャンが開始条件を充足している必要があるが、プラント状態によってはオペレータの判断でスキャンの開始条件を緩和してスキャン開始しても支障が生じない場合がある。このような場合、従来の開始処理手段１０５のみでは、一律にスキャンを開始することができず測定作業の遅延や稼働率の低下を招くという課題があった。
【００２８】
第４に、ＴＩＰスキャン装置では、オペレータが中性子束データの確認のため、中性子束データとスキャン結果データとの全部のデータをプリンタ７で印字しているが、炉心性能計算機能にも中性子束データの確認機能があり、必ずしも中性子束データの印字の必要はなく、状況によって印字するデータを任意に選択可能とする手段の開発が望まれていた。
【００２９】
第５に、従来ＴＩＰから得られたＴＩＰデータである中性子束データやスキャン状態の結果を表すスキャン結果データは一緒に混在してプリンタ７へ印字出力されていた。このため多くのＴＩＰデータの中からスキャン結果データのみを抽出して確認することは容易でなかった。
【００３０】
また、プリンタ７にページプリンタを用いた場合、１ページ分のＴＩＰデータを処理して印字出力するため、収集が完了するまで必要とするスキャン結果データの確認ができなかった。そこで、中性子束データの印字と別にスキャン結果データを履歴データとしてまとめて印字を行いスキャン状態を迅速容易に確認可能とする手段の開発が望まれていた。
【００３１】
第６に、ＴＩＰストリング指定時にストリング１の座標を指定する必要があるが、マウス、タッチ等のポインティングデバイスで指定する方が直感的で指定が容易であった。ところが、ポインティングデバイスによってスキャンする対象のストリングを指定する場合、スキャンするストリング１１が全ての場合にも、ストリング１１を一つずつ指定する操作が必要で指定操作が煩雑になってしまったり、指定の漏れのおそれもあるという課題があった。
【００３２】
第７に、ＴＩＰのスキャン状態は、プリンタ７へ印字出力されるメッセージで確認されているが正確なスキャン状態の判断は、実運用上はＴＩＰ盤４で状態監視を行っていた。このため、ＴＩＰスキャン装置の対話装置６側でスキャン状態を含むＴＩＰの状態の監視する手段の開発が望まれていた。
【００３３】
第８は、ＴＩＰスキャン結果を印字する場合、対象ストリングを指定する必要があるが、対象ストリングの指定はポインティングデバイスにより指定する方が直感的で便利であった。ところが、ポインティングデバイス化すると、全てのストリング１１を指定する場合、指定するストリング１１が多く、選択操作が煩雑になってしまい、指定の漏れのおそれがあるという課題があった。
【００３４】
第９に、ＴＩＰストリング指定部などは、自動スキャン部１００Ａまたは手動スキャン部１００Ｂの操作中に使用することが多いが、スキャン中にストリング指定部１０２を使用することができないという課題があった。
【００３５】
そこで、本発明は、かかる各種の課題を解決するためになされたもので、従来のＴＩＰの煩雑な操作を解消し、ＴＩＰの操作の手間の軽減を図ると共に、ＴＩＰの円滑な操作を可能とする原子力発電プラントのＴＩＰスキャン装置を提供することを目的とする。
【００３６】
【課題を解決するための手段】
請求項１の発明は、原子炉内に複数配設される局所領域出力モニタに対応して設けられる測定個所の複数のストリングを一つずつ順次指定選択してスキャンを行うＴＩＰスキャン部と、予めスキャンする対象ストリングを指定するストリング指定部と、ＴＩＰスキャン部のスキャンによって得られた対象ストリングのＴＩＰデータを出力するＴＩＰデータ出力部とを備えたＴＩＰスキャン装置において、ＴＩＰスキャン部は、オペレータにスキャン対象のストリングを指定させるマシン指定処理を行うマシン指定処理手段と、オペレータからの要求に従ってスキャンを中断する中断処理を行う中断処理手段と、オペレータの要求に従って自動スキャンまたは手動スキャンを選択可能とし、自動スキャンが選択された場合にはマシン指定処理を禁止する一方、手動スキャンが選択された場合には中断処理を禁止する自動／手動切替処理手段と、を設けるようにしたものである。
【００３７】
この手段によれば、自動スキャンが選択されると、オペレータによって任意のスキャン対象のストリングを指定処理可能とするマシン指定処理が禁止されるので、自動スキャン選択時に従来の手動スキャンのためのマシン指定処理がされるという、誤操作やオペレータの混乱を招くことが回避でき、円滑な操作ができる。また、手動スキャンが選択されると、オペレータによって任意にＴＩＰによる計測を中断する中断処理が禁止されるので、手動スキャン選択時に従来の自動スキャンのための中断処理がされるという誤操作やオペレータの混乱を招くことが回避でき、円滑な操作ができる。
【００３８】
請求項２の発明は、請求項１記載の原子力発電プラントのＴＩＰスキャン装置において、ＴＩＰスキャン部は、現場に配置されてＴＩＰ検出器を操作するＴＩＰ盤からＴＩＰ盤の状態情報を取り込み表示装置へ表示するＴＩＰ盤状態表示処理手段を設けるようにしたものである。
【００３９】
この手段によれば、ＴＩＰスキャン装置側で正確なＴＩＰ盤側の状態情報が表示されるので、ＴＩＰスキャン装置側でＴＩＰ盤側の状態に応じた操作ができ、ＴＩＰ盤側と不整合なオペレータの操作がされるおそれを回避でき、円滑な選択操作ができる。
【００４０】
請求項３の発明は、請求項１記載の原子力発電プラントのＴＩＰスキャン装置において、ＴＩＰスキャン部は、プラントの状態が予め定めるスキャン開始条件を充足しない場合に、オペレータへ問い合わせて、オペレータの判断に従ってスキャンの開始の実行、または、スキャンの開始の断念を行う開始条件問合せ処理手段を設けるようにしたものである。
【００４１】
この手段によれば、プラントのスキャン開始状態が予め定める開始条件を充足しない場合、オペレータの介入によってスキャンを開始するか否か判断されるので、プラントの運用に沿って開始条件が緩和され、実情に即した運用ができ、運用効率の向上を図ることができる。
【００４２】
請求項４の発明は、請求項１記載の原子力発電プラントのＴＩＰスキャン装置において、ＴＩＰスキャン部は、ＴＩＰデータの内でログ毎に印字の要、不要を個別選択して設定可能として、印字の必要のＴＩＰデータのログのみ印字する自動ログ印字選択処理手段を設けるようにしたものである。
【００４３】
この手段によれば、印字の要、不要を選択して設定できるので、オペレータの運用によって不要な印字をすることを避けることができ、オペレータの作業負担を軽減できる。
【００４４】
請求項５の発明は、請求項１記載の原子力発電プラントのＴＩＰスキャン装置において、ＴＩＰスキャン部は、ＴＩＰのスキャン状態を履歴データとして保存し、必要時に印字するＴＩＰスキャン履歴印字処理手段を設けるようにしたものである。
【００４５】
この手段によれば、通常のＴＩＰデータを印字出力しているときにも別にスキャン状態の良否を表すスキャン結果データがまとめられ履歴データとして保存されており、スキャン状態の異常が発生し、スキャン状態の確認が必要となったときにも、即座に切替て履歴データを印字出力してスキャン状態の確認ができ、ページプリンタへの対応や円滑な操作ができる。
【００４６】
請求項６の発明は、請求項１記載の原子力発電プラントのＴＩＰスキャン装置において、ストリング指定部は、スキャン可能な対象ストリングの全てを指定する全ストリング選択処理手段を設けるようにしたものである。
【００４７】
この手段によれば、要求によって一括して全てのストリングをスキャン対象とするので、指定操作が簡単にできる。
【００４８】
請求項７の発明は、請求項１記載の原子力発電プラントのＴＩＰスキャン装置において、ＴＩＰ検出器の駆動状態と計算機の状態とＴＩＰ盤の状態等の必要な監視情報を表示装置の監視画面へ表示する監視画面表示部を設けるようにしたものである。
【００４９】
この手段によれば、ＴＩＰの駆動状態、計算機の状態、ＴＩＰ盤の状態等の必要な監視情報が表示でオペレータへ提示されるので、対応する操作が的確にできる。従って、従来のようにプリンタへ印字されるＴＩＰデータによって確認する手間が軽減され、正確、かつ、迅速な操作ができる。
【００５０】
請求項８の発明は、請求項１記載の原子力発電プラントのＴＩＰスキャン装置において、ＴＩＰデータ出力部は、印字可能な対象ストリングの全てを選択指定可能とする全ストリング選択処理手段を設けるようにしたものである。
【００５１】
この手段によれば、印字対象のストリングを全て指定する場合、一度で一括して選択指定できるので、選択操作の手間が軽減できる。
【００５２】
請求項９の発明は、請求項１記載の原子力発電プラントのＴＩＰスキャン装置において、ＴＩＰスキャン部は、スキャン中にストリング指定部を呼び出して対話画面上でスキャンする任意の対象ストリングを指定可能とするストリング指定部呼出処理手段と、スキャン中に監視画面表示部を呼び出して対話画面上に監視情報を表示する監視画面表示部呼出処理手段とを設けるようにしたものである。
【００５３】
この手段によれば、スキャン中に監視情報を表示させ、監視情報に応じてスキャン対象のストリングを指定することができる。
【００５４】
【発明の実施の形態】
以下、本発明のＴＩＰスキャン装置について図面を参照して説明する。図１は、本発明の第１実施の形態を示すＴＩＰスキャン装置の構成図である。
【００５５】
図１において、従来例を示す図１１と同一符号は、同一部分又は相当部分を示し、第１実施の形態は図１１の自動スキャン部１００Ａと手動スキャン部１００Ｂの代わりにＴＩＰスキャン部１０１を設け、このＴＩＰスキャン部１０１に自動／手動切替処理手段１１３を設けるようにしたことを特徴としている。
【００５６】
ＴＩＰスキャン部１０１は、開始処理手段１０５と終了処理手段１０６と中止処理手段１０７と印字処理手段１０８とマシン指定処理手段１０９と中断処理手段１１０と自動／手動切替処理手段１１３とを備えている。
【００５７】
ここで、開始処理手段１０５は、スキャン開始に先だってプラント状態を判定し計測条件を満たしていると判定した場合、対話装置６からの開始要求とストリング指定部１０２から入力したスキャン対象のストリングと開始指令信号をプロセス入出力装置１０４を介して出力するものである。
【００５８】
終了処理手段１０６は、ＴＩＰデータを正しく収集した際に対話装置６からの要求によって炉心性能計算部５へ中性子束データを出力するものである。中止処理手段１０７は、対話装置６からの要求によってＴＩＰによる計測を中止し、ＴＩＰデータを破棄する処理をするものである。印字処理手段１０８は、ＴＩＰデータをプリンタ７によって印字するものである。
【００５９】
マシン指定処理手段１０９は、手動スキャン時にスキャン対象のストリングを対話装置６及び自動／手動切替処理手段１１３を介して指定するものである。中断処理手段１１０は、自動スキャン時に対話装置６からの要求によりＴＩＰ計測の中断をするものである。
【００６０】
自動／手動切替処理手段１１３は、対話装置６の要求に従って自動スキャンを選択した場合、マシン指定処理手段１０９の選択を不可とし、開始処理手段１０５と終了処理手段１０６と中断処理手段１１０の各手段の処理を可能とする一方、手動スキャンを選択した場合、中断処理手段１１０の選択を不可とし、マシン指定処理手段１０９と開始処理手段１０５と終了処理手段１０６の各処理を可能とするように切替るものである。
【００６１】
以上の構成で、自動スキャンをする場合において、対話装置６からの要求によってストリング指定部１０２へスキャン対象とするストリング１１の指定が行われる。また、対話装置６からの要求によって、ＴＩＰデータ印字部１０３のストリング指定処理手段１１２のスキャン対象とするストリングの指定が行われる。
【００６２】
まず、対話装置６からオペレータによって自動スキャンの選択がされると、自動／手動切替処理手段１１３によってマシン指定処理手段１０９へマシン指定処理手段１０９の処理を禁止するための処理禁止信号が出力される。これにより、自動スキャン中にオペレータが誤って対話装置６からマシン指定処理手段１０９へマシン指定処理の要求をしても処理が禁止される。
【００６３】
次に、開始処理手段１０５によってプラント状態の判定がされ、ＴＩＰによる計測条件を満たしていると判定されると開始処理手段１０５からプロセス入出力装置１０４を介してＴＩＰ盤４へ開始指令信号とスキャン対象を指定する信号が出力される。これによって、ＴＩＰ盤４からの指令に従ってスキャン対象のストリング１１が自動的に選択され、得られた中性子束データ、ＴＩＰのスキャン状態データ等のＴＩＰデータがプロセス入出力装置１０４へ入力される。
【００６４】
ＴＩＰデータがプロセス入出力装置１０４からＴＩＰスキャン部１０１の印字処理手段１０８へ入力されると、プリンタ７へＴＩＰデータが出力され自動印字がされる。この場合に、印字されたＴＩＰデータに異常があって自動スキャンを一時中断したいとき、対話装置６からの要求によって自動／手動切替処理手段１１３を介して中断処理手段１１０へ中断処理の指令信号が送られ、ＴＩＰによる計測が一時中断される。
【００６５】
また、自動スキャン中に機器の障害等のためＴＩＰデータの入力ができなかった場合、対話装置６からの要求によって中止処理手段１０７の中止処理を行うための指令信号が送られ、ＴＩＰによる計測とＴＩＰデータの破棄が行われる。全てのスキャン対象のストリング１１に対してＴＩＰによる計測が完了すると、対話装置６からの要求によって終了処理手段１０６の終了処理を行うための指令信号が送られ炉心性能計算部５へ中性子束データの設定が行われる。
【００６６】
次に、手動スキャンをする場合において、まず、対話装置６からオペレータによって手動スキャンの選択がされると、自動／手動切替処理手段１１３によって手動スキャンに切り替えられ、マシン指定処理手段１０９へのマシン指定処理が有効となると共に、中断処理手段１１０の中断処理が無効となる。
【００６７】
次に、開始処理手段１０５によってプラント状態の判定がされ、ＴＩＰによる計測条件を満たしていると判定されると、対話装置６からオペレータによって開始処理手段１０５へスキャンの開始要求がされる。これにより、プロセス入出力装置１０４を介してＴＩＰ盤４へ開始指令信号が出力される。続いて、スキャンしたいストリング１１が対話装置６を介してマシン指定処理手段１０９で指定する。ここで指定されたストリング１１がＴＩＰ盤４の制御により選択され、中性子束データ、ＴＩＰのスキャン状態データ等のＴＩＰデータがプロセス入出力装置１０４へ入力される。
【００６８】
ＴＩＰデータがプロセス入出力装置１０４からＴＩＰスキャン部１０１の印字処理手段１０８へ入力されると、プリンタ７へＴＩＰデータが出力され印字がされる。印字が終了すると、ＴＩＰデータの確認がオペレータによって行われ、ＴＩＰデータが有効であると、次のストリング１１の指定がされる。すなわち、対話装置６から自動／手動切替処理手段１１３を介してマシン指定処理手段１０９に対して次のストリング１１の指定が順次要求される。ＴＩＰ盤４を介して指定されたストリング１１が選択され、得られたＴＩＰデータが順次プロセス入出力装置１０４へ入力される。プロセス入出力装置１０４へＴＩＰデータが入力されるとプリンタ７によって印字される。得られたＴＩＰデータの確認がオペレータによって行われる。この場合に、対話装置６からの要求によって中断処理手段１１０へ中断処理の指令信号が送られても自動／手動切替処理手段１１３からの中断処理手段１１０の選択不可信号によって、ＴＩＰによる計測が一時中断されることが禁止される。
【００６９】
また、手動スキャン中に機器の障害等のためＴＩＰデータの入力ができなかった場合、対話装置６からの要求によって中止処理手段１０７の中止処理を行うための指令信号が送られ、ＴＩＰによる計測とＴＩＰデータの破棄が行われる。全ての手動によるスキャン対象のストリング１１に対してＴＩＰによる計測が完了すると、対話装置６からの要求によって終了処理手段１０６の終了処理を行うための指令信号が送られ炉心性能計算部５へ中性子束データの設定が行われる。
【００７０】
このように本発明の第１実施の形態によれば、自動スキャンが選択されると、オペレータによって任意のスキャン対象のストリングを順次指定して処理可能とするマシン指定処理が禁止されるので、自動スキャン選択時に従来の手動スキャンのためのマシン指定処理がされるという誤操作やオペレータの混乱を招くことを回避できる。また、手動スキャンが選択されると、オペレータが任意にＴＩＰによる計測を中断する中断処理が禁止されるので、手動スキャン選択時に従来の自動スキャン時に不要な中断処理がされてオペレータの混乱を招くことが回避できる。
【００７１】
図２は、本発明の第２実施の形態を示すＴＩＰスキャン装置の構成図である。図２において、第１実施の形態を示す図１と同一符号は、同一部分又は相当部分を示し、第２実施の形態は、図１にＴＩＰ盤状態表示処理手段１１４を追加して設けたことに特徴を有している。
【００７２】
ここで、ＴＩＰ盤状態表示処理手段１１４は、プロセス入出力装置１０４を介してＴＩＰ盤４からのＴＩＰ盤側の状態を取り込み対話装置６へ表示出力するものである。
【００７３】
以上の構成によれば、ＴＩＰ盤４のＴＩＰ盤側の状態情報がプロセス入出力装置１０４を介してＴＩＰスキャン部１０１のＴＩＰ盤状態表示処理手段１１４へ取り込まれる。ＴＩＰ盤状態表示処理手段１１４では、ＴＩＰ盤側の状態情報に表示処理が行われ、対話装置６へ出力され、対話装置６へＴＩＰ盤側の状態情報が表示される。これによって、オペレータは、対話装置６の表示によってＴＩＰ盤側の状態を把握できる。
【００７４】
このように第２実施の形態によれば、ＴＩＰスキャン装置側で正確なＴＩＰ盤側の状態情報が表示出力されるので、ＴＩＰスキャン装置側でＴＩＰ盤側の状態に応じたオペレータの操作ができ、ＴＩＰ盤側のオペレータの操作との不整合なオペレータの操作がされるおそれを回避することができる。
【００７５】
図３は、本発明の第３実施の形態を示すＴＩＰスキャン装置の構成図である。図３において、第２実施の形態を示す図２と同一符号は、同一部分又は相当部分を示し、第３実施の形態は、図２に示すＴＩＰスキャン装置に開始条件問合せ処理手段１１５を設けたことを特徴とするものである。
【００７６】
ここで、開始条件問合せ処理手段１１５は、開始処理手段１０５の開始処理で、開始条件がを充足しない場合、オペレータに問い合わせてオペレータの判断に応じて開始処理を行うものである。
【００７７】
以上の構成によれば、オペレータによって、対話装置６を介して自動スキャン、あるいは、手動スキャンの開始が開始処理手段１０５へ要求される。この際、開始処理手段１０５によってプラント状態が判定され、プラント状態によってスキャンを行って良いか否かが判定される。この場合、開始処理手段１０５によって、スキャンの開始条件が満足しないとされた場合、その項目が開始条件問合せ処理手段１１５へ出力され、対話装置６を介してオペレータに問合せが行われる。オペレータが問題ないと判断しその旨が開始処理手段１０５に通知されると、スキャンの開始条件が無視されスキャンが開始できる。一方、無視できないと判断しその旨が通知された場合には、スキャンが開始されない。
【００７８】
このように第３実施の形態によれば、プラントの状態が予め定めるスキャンの開始条件を充足しない場合、オペレータの介入によってスキャンを開始するか否か判断されるので、プラントの運用に沿って開始条件が緩和され、実情に即した運用ができる。
【００７９】
図４は、本発明の第４実施の形態を示すＴＩＰスキャン装置の構成図である。図４において、第３実施の形態を示す図３と同一符号は、同一部分又は相当部分を示し、第４実施の形態は図３に示すＴＩＰスキャン装置に自動ログ印字選択処理手段１１６を追加して設けた点に特徴を有している。
【００８０】
ここで、自動ログ印字選択処理手段１１６は、ＴＩＰデータの各ログの印字の要、不要をオペレータの要求に従って選択し、印字の要のログについて印字処理手段１０８を介してプリンタ７によって印字するものである。
【００８１】
以上の構成によれば、自動ログ印字選択処理手段１１６の処理によって予めオペレータの要求に従いＴＩＰデータの各ログの印字の要、不要が選択して設定される。この設定によって、印字が不要なログの場合には、印字不要とされる。その場合には、自動ログ印字選択処理手段１１６にて「ログ印字無し」が選択される。
【００８２】
一方、炉心性能計算部５にデータを出力する前に、スキャン結果を確認したいログがある場合には、そのログに対して「ログ印字あり」が選択される。この場合、オペレータの要求によってスキャンが開始されると、ＴＩＰスキャン部１０１がプロセス入出力装置１０４を介して入力したＴＩＰデータの内で自動ログ印字選択処理手段１１６によって「ログ印字あり」とされるログのみが印字処理手段１０８によりプリンタ７へ出力される。
【００８３】
このように第４実施の形態によれば、印字の要、不要を選択して設定できるので、オペレータの運用によって不要な印字をすることを避けることができる。例えば、炉心性能計算部に既に有する同等の内容の中性子束データと重複する中性子束データの印字を避けることができる。
【００８４】
図５は、本発明の第５実施の形態を示すＴＩＰスキャン装置の構成図である。図５において、第４実施の形態を示す図４と同一符号は、同一部分又は相当部分を示し、第５実施の形態は、図４に示すＴＩＰスキャン装置にＴＩＰスキャン履歴印字処理手段１１７を設けた点に特徴を有している。
【００８５】
ここで、ＴＩＰスキャン履歴印字処理手段１１７は、通常の印字処理手段１０８の処理と別にオペレータの要求によってスキャン状態の良否を表すスキャン結果データを履歴データとして保存し印字するものである。
【００８６】
以上の構成のよれば、対話装置６からオペレータによって要求がされると、ＴＩＰスキャン履歴印字処理手段１１７によってスキャン状態の良否を表すスキャン結果データが順次履歴データとして保存される。
【００８７】
一方、スキャン中に得られたＴＩＰデータが印字処理手段１０８の処理によってプリンタ７へ印字出力される。ここで、オペレータが現時点までのスキャン状態の確認を必要とする場合、対話装置６を介してＴＩＰスキャン履歴印字処理手段１１７へ履歴データの印字出力の要求がされ、ＴＩＰスキャン履歴印字処理手段１１７に保存された履歴データがプリンタ７へ印字出力される。
【００８８】
このように第５実施の形態によれば、通常のＴＩＰデータをページプリンタ等へ印字出力しているときにも別にスキャン状態の良否を表すスキャン結果データがまとめられ履歴データとして保存されており、スキャン状態の異常が発生し、スキャン状態の確認が必要となったときにも、即座に切替て履歴データを印字出力してスキャン状態の確認ができる。
【００８９】
図６は、本発明の第６実施の形態を示すＴＩＰスキャン装置の構成図である。図６において、第５実施の形態を示す図５と同一符号は、同一部分又は相当部分を示し、第６実施の形態は、図５に示すＴＩＰスキャン装置のストリング指定部１０２に全ストリング選択処理手段１１８を設けた点に特徴を有している。
【００９０】
ここで、全ストリング選択処理手段１１８は、スキャン対象のストリング１１として全ストリングを指定可能とするものである。
【００９１】
以上の構成によれば、スキャン対象のストリングを部分的に指定してスキャンを行いたい場合には、ストリング指定部１０２にてスキャン対象のストリング１１を指定する。この場合、対話装置６にストリング選択画面を表示し、表示される全ストリングの内からポインティングデバイスによりストリング１１を指定する。これによりストリング指定処理手段１１１の処理により対象とするストリング１１が選択される。誤って対象外のストリング１１が選択された場合、再度選択済のストリングがポインティングデバイスで選択されることにより、その選択が解除される。
【００９２】
一方、かかる作業でスキャン対象とするストリング１１が全部の場合、対話装置６のストリング選択画面上の一括選択表示欄をポインティングデバイスで選択して指定する。この選択指定がされると、全ストリング選択処理手段１１８によって、その全てのストリング１１が選択される。これにより、ストリング指定処理手段１１１のみの煩雑な操作が一括して行える。
【００９３】
このように第６実施の形態によれば、要求によって一括して全てのストリングをスキャン対象とするので、指定操作が簡単にできる。
【００９４】
図７は、本発明の第７実施の形態を示すＴＩＰスキャン装置の構成図である。図７において、第６実施の形態を示す図６と同一符号は、同一部分又は相当部分を示し、第７実施の形態は図６に示すＴＩＰスキャン装置に監視画面表示部１１９を設けた点に特徴を有している。
【００９５】
ここで、計算機状態表示処理手段１２０は、プロセス計算機に関する情報を表示するように処理を行うものである。ＴＩＰ盤状態表示処理手段１２１は、ＴＩＰ盤４に関する情報を表示するように処理を行うものである。ＴＩＰ駆動状態表示処理手段１２２は、ＴＩＰ駆動機構３に関する情報を表示するように処理を行うものである。
【００９６】
以上の構成によれば、対話装置６から監視画面の表示要求があると、監視画面表示部１１９の計算機状態表示処理手段１２０、ＴＩＰ盤状態表示処理手段１２１、ＴＩＰ駆動状態表示処理手段１２２によってプロセス入出力装置１０４から各情報が取り込まれ表示処理がされ対話装置６へ送られる。
【００９７】
これにより、監視画面として対話装置６においてプロセス計算機の状態とＴＩＰ盤４とＴＩＰ駆動機構３の情報を合わせて表示がされる。
【００９８】
このように第７実施の形態によれば、ＴＩＰの駆動状態、計算機の状態、ＴＩＰ盤の状態等の必要な監視情報が表示でオペレータへ提示されるので、対応する操作が的確にできる。従って、従来のようにプリンタへ印字されるＴＩＰデータによって確認する手間が軽減され、正確、かつ、迅速な操作ができる。
【００９９】
図８は、本発明の第８実施の形態を示すＴＩＰスキャン装置の構成図である。図８において、第７実施の形態を示す図７と同一符号は、同一部分又は相当部分を示し、第８実施の形態は図７に示すＴＩＰスキャン装置のＴＩＰデータ印字部１０３に全ストリング選択処理手段１２３を設けた点に特徴を有している。
【０１００】
ここで、全ストリング選択処理手段１２３は、ＴＩＰデータを印字する場合に、スキャン対象として全てのストリング１１を指定選択可能とするものである。
【０１０１】
以上の構成によれば、スキャンが終了した最新のＴＩＰデータを印字する場合、対話装置６を介してＴＩＰデータ印字部１０３のストリング指定処理手段１１２にて印字対象のストリング１１を指定する。この場合、対話装置６のストリング選択画面上でポインティングデバイスにより対象とするストリングを指定する。一方、印字対象とするストリング１１が全ての場合、対話装置６のストリング選択画面上の一括選択表示欄をポインティングデバイスで選択する。これにより、全ストリング選択処理手段１２３によってその全てのストリング１１が選択される。
【０１０２】
このように第８実施の形態によれば、印字対象のストリングを全て指定する場合、一度で一括して選択指定できるので、選択操作の手間が軽減でき、選択漏れがなくなる。
【０１０３】
図９は、本発明の第９実施の形態を示すＴＩＰスキャン装置の構成図である。図９において、第８実施の形態を示す図８と同一符号は、同一部分又は相当部分を示し、第９実施の形態は、図８に示すＴＩＰスキャン部１０１にストリング指定部呼出処理手段１２４と監視画面表示部呼出処理手段１２５とを設けた点に特徴を有している。
【０１０４】
以上の構成によれば、スキャン中にスキャン対象のストリングの指定を行いたい場合に、対話装置６においてストリング指定部呼出処理手段１２４の処理が選択されると、ストリング指定部１０２のストリング選択画面が対話装置６に表示され、スキャン対象のストリング１１の指定を行うことができる。
【０１０５】
また、ＴＩＰスキャン部１０１の開始処理手段１０５によりスキャンを開始された直後にスキャン状態の監視を行いたい場合に、対話装置６において監視画面表示部呼出処理手段１２５の処理が選択されると、監視画面表示部１１９の監視画面が対話装置６へ表示され、即座にスキャン状態等の監視が可能となる。
【０１０６】
このように第９実施の形態によれば、スキャン中に監視情報を表示させ、監視情報に応じてスキャン対象のストリングを指定することができる。
【０１０７】
【発明の効果】
以上説明したように請求項１の発明によれば、自動スキャンが選択されると、マシン指定処理が禁止されるので、自動スキャン選択時に手動スキャンのためのマシン指定処理がされことがなく、誤操作やオペレータの混乱を招くことが回避でき、円滑な操作ができ、また、手動スキャンが選択されると、中断処理が禁止されるので、手動スキャン選択時に自動スキャンのための中断処理がされることがなく、誤操作やオペレータの混乱を招くことが回避でき、円滑な操作ができる。
【０１０８】
また、請求項２の発明によれば、ＴＩＰスキャン装置側で正確なＴＩＰ盤側の状態情報が表示されるので、ＴＩＰスキャン装置側でＴＩＰ盤側の状態に応じた操作ができ、ＴＩＰ盤側との不整合なオペレータの操作がされるおそれを回避でき、円滑な選択操作ができる。
【０１０９】
また、請求項３の発明によれば、プラントのスキャン開始状態が予め定める開始条件を充足しない場合、オペレータの介入によってスキャンを開始するか否か判断されるので、プラントの運用に沿って開始条件を緩和でき、実情に即した運用ができ、運用効率の向上を図ることができる。
【０１１０】
また、請求項４の発明によれば、印字の要、不要を選択して設定できるので、オペレータの運用によって不要な印字をすることを避けることができ、オペレータの作業負担を軽減できる。
【０１１１】
また、請求項５の発明によれば、別にスキャン状態の良否を表すスキャン結果データを履歴データとして保存するので、スキャン状態の確認が必要となったときにも、即座に履歴データを印字出力してスキャン状態の確認をすることができ、ページプリンタへの対応や円滑な操作ができる。
【０１１２】
また、請求項６の発明によれば、要求によって一括して全てのストリングをスキャン対象とするので、指定操作が簡単にできる。
【０１１３】
また、請求項７の発明によれば、ＴＩＰの駆動状態、計算機の状態、ＴＩＰ盤の状態等の必要な監視情報がオペレータへ提示されるので、従来のようにプリンタへ印字されるＴＩＰデータによって確認する手間が軽減され、正確、かつ、迅速な操作ができる。
【０１１４】
また、請求項８の発明によれば、印字対象のストリングを全てを指定する場合、一度で一括して選択指定できるので、選択操作の手間を軽減することができる。
【０１１５】
また、請求項９の発明によれば、スキャン中に監視情報を表示させ、監視情報に応じてスキャン対象のストリングを指定することができる。
【図面の簡単な説明】
【図１】本発明の第１実施の形態のＴＩＰスキャン装置を示す構成図である。
【図２】本発明の第２実施の形態のＴＩＰスキャン装置を示す構成図である。
【図３】本発明の第３実施の形態のＴＩＰスキャン装置を示す構成図である。
【図４】本発明の第４実施の形態のＴＩＰスキャン装置を示す構成図である。
【図５】本発明の第５実施の形態のＴＩＰスキャン装置を示す構成図である。
【図６】本発明の第６実施の形態のＴＩＰスキャン装置を示す構成図である。
【図７】本発明の第７実施の形態のＴＩＰスキャン装置を示す構成図である。
【図８】本発明の第８実施の形態のＴＩＰスキャン装置を示す構成図である。
【図９】本発明の第９実施の形態のＴＩＰスキャン装置を示す構成図である。
【図１０】原子炉内の中性子検出手段を示す概念説明図である。
【図１１】従来のＴＩＰスキャン装置を示す構成図である。
【符号の説明】
１  原子炉
２  ＴＩＰ検出器
３  ＴＩＰ駆動機構
４  ＴＩＰ盤
５  炉心性能計算部
６  対話装置
７  プリンタ
１００Ａ  自動スキャン部
１００Ｂ  手動スキャン部
１０１  ＴＩＰスキャン部
１０２  ストリング指定部
１０３  ＴＩＰデータ印字部
１０４  プロセス入出力装置
１０５，１０５ａ  開始処理手段
１０６，１０６ａ  終了処理手段
１０７，１０７ａ  中止処理手段
１０８，１０８ａ  印字処理手段
１０９  マシン指定処理手段
１１０  中断処理手段
１１１，１１２  ストリング指定処理手段
１１３  自動／手動切替処理手段
１１４  ＴＩＰ盤状態表示処理手段
１１５  開始条件問合せ処理手段
１１６  自動ログ印字選択処理手段
１１７  ＴＩＰスキャン履歴印字処理手段
１１８，１２３  全ストリング選択処理手段
１１９  監視画面表示部
１２０  計算機状態表示処理手段
１２１  ＴＩＰ盤状態表示処理手段
１２２  ＴＩＰ駆動状態表示処理手段
１２４  ストリング指定部呼出処理手段
１２５  監視画面表示部呼出処理手段
【図１】
0004301677.tif 000002
【図２】
0004301677.tif 000003
【図３】
0004301677.tif 000004
【図４】
0004301677.tif 000005
【図５】
0004301677.tif 000006
【図６】
0004301677.tif 000007
【図７】
0004301677.tif 000008
【図８】
0004301677.tif 000009
【図９】
0004301677.tif 000010
【図１０】
0004301677.tif 000011
【図１１】
0004301677.tif 000012